(57)【要約】【課題】本発明は、手摺装置が収納位置に位置するときの全体の高さ寸法をさらに小さくすることができるエレベータのかご装置を得ることを目的とするものである。【解決手段】  第１の側面上枠６には、第１の側面手摺装置１１が取り付けられている。第２の側面上枠７には、第２の側面手摺装置１２が取り付けられている。後上枠８には、後手摺装置１３が取り付けられている。これらの手摺装置１１〜１３は、かご室１上に倒された収納位置と、上枠体４上に起立された立設位置との間で回動可能に上枠体４に接続されている。手摺装置１１〜１３は、収納位置に位置するとき、上枠体４の内側で上枠体４の上下方向寸法の範囲内に配置される。【選択図】図１
2010058861.tif 000002
【特許請求の範囲】
【請求項１】
かご室天井を有するかご室、
上記かご室の前端部上方に設けられた前上枠と、上記かご室の後端部上方に設けられた後上枠と、上記前上枠と上記後上枠との間に固定された第１及び第２の側面上枠とを有し、上記かご室天井の周囲を囲む上枠体、及び
上記かご室上に倒された収納位置と、上記上枠体上に起立された立設位置との間で回動可能に上記上枠体に設けられ、上記収納位置に位置するとき、上記上枠体の内側で上記上枠体の上下方向寸法の範囲内に配置される複数の手摺装置を備えていることを特徴とするエレベータのかご装置。
【請求項２】
上記手摺装置は、上記上枠体の内側の側面に回動可能に支持され、上記立設位置に回動されたときに上端部が上記上枠体から上方に突出する補助柱と、基端部が上記補助柱に固定され、上記立設位置に回動されたときに下端面が上記上枠体の上面に当接される手摺本体とを有していることを特徴とする請求項１記載のエレベータのかご装置。
【請求項３】
上記手摺装置は、
基端部が上記上枠体の内側の側面に回動可能に支持された手摺本体と、
上記手摺本体の基端部に回動可能に設けられた支え金具と、
上記手摺本体の上記収納位置から上記立設位置への回動に連動して、上記支え金具の下端部が上記手摺本体から突出する方向へ上記支え金具を回動させる支え金具変位機構と
を有し、
上記手摺本体を上記立設位置に回動させると、上記支え金具の下端部が上記上枠体の上面に当接されることを特徴とする請求項１記載のエレベータのかご装置。
【請求項４】
上記支え金具変位機構は、上記手摺本体の基端部に回動可能に設けられたタンブラ作動片と、上記支え金具と上記手摺本体との間に設けられた戻しばねとを有しており、
上記手摺本体を上記立設位置に回動させると、上記タンブラ作動片の一端部が上記上枠体の側面に当接されて上記タンブラ作動片が上記手摺本体に対して回動され、上記タンブラ作動片の他端部により上記支え金具が上記戻しばねに抗して回動されることを特徴とする請求項３記載のエレベータのかご装置。
【請求項５】
上記手摺装置は、上記上枠体の内側の側面に固定され上記手摺本体を支持する手摺本体支持金具をさらに有し、
上記支え金具変位機構は、上記手摺本体支持金具と上記支え金具との間に連結された連結バーと、上記支え金具と上記手摺本体との間に設けられた戻しばねとを有しており、
上記手摺本体を上記立設位置に回動させると、上記支え金具の上記連結バーとの連結部が上記連結バーにより上記手摺本体の基端部側へ引き寄せられ、上記支え金具が上記戻しばねに抗して回動されることを特徴とする請求項３記載のエレベータのかご装置。
【請求項６】
少なくとも１つの上記手摺装置には、上記立設位置に位置するときに互いに隣接する上記手摺装置を相互に接続する接続金具が設けられていることを特徴とする請求項１から請求項５までのいずれか１項に記載のエレベータのかご装置。
【請求項７】
上記前上枠は、ドア装置桁を兼ねていることを特徴とする請求項１から請求項６までのいずれか１項に記載のエレベータのかご装置。
【請求項８】
上記手摺装置の上記収納位置からの変位を検出し、エレベータ制御装置の運転モードを通常モードから保守モードに切り替えるための安全スイッチをさらに備えていることを特徴とする請求項１から請求項７までのいずれか１項に記載のエレベータのかご装置。
【請求項９】
上記手摺装置は、上記上枠体に連結された下部手摺と、上記下部手摺に回動可能に連結され、上記立設位置に位置するときに上記下部手摺の上部に配置される上部手摺とを有しており、上記上部手摺を上記下部手摺に対して回動させて上記下部手摺に重ねることにより折り畳み可能となっていることを特徴とする請求項１から請求項８までのいずれか１項に記載のエレベータのかご装置。
【請求項１０】
上記手摺装置は、上記上部手摺を上記下部手摺に重ねた状態を保持する留め具をさらに有していることを特徴とする請求項９記載のエレベータのかご装置。
【発明の詳細な説明】
【技術分野】
【０００１】
この発明は、保守作業時に起立される手摺装置が上部に設けられているエレベータのかご装置に関するものである。
【背景技術】
【０００２】
機械室レスエレベータは、機械室が要らず、昇降路ピット寸法や昇降路頂部寸法が小さくて済むため、その設置台数が増加している。このような機械室レスエレベータにおいて、昇降路頂部寸法をさらに小さくするためには、かご装置の全高を小さくする必要がある。しかし、かごの戸を支持するドア装置桁やかご上安全手摺等をかご装置上に設ける必要があり、またかご室の意匠性を確保する必要があった。
【０００３】
これに対して、従来のエレベータのかご装置では、水平に倒した状態と垂直に起立した状態との間で変位可能な手摺装置が上枠上に設けられている（例えば、特許文献１参照）。
【０００４】
【特許文献１】特開２００２−２８４４６９号公報
【発明の開示】
【発明が解決しようとする課題】
【０００５】
上記のような従来のエレベータのかご装置では、かご室天井の上部に上枠が設けられており、さらにその上枠の上部に手摺装置が設けられているため、手摺装置を倒しても、高さ寸法を十分に小さくすることができなかった。
【０００６】
この発明は、上記のような課題を解決するためになされたものであり、手摺装置が収納位置に位置するときの全体の高さ寸法をさらに小さくすることができるエレベータのかご装置を得ることを目的とする。
【課題を解決するための手段】
【０００７】
この発明に係るエレベータのかご装置は、かご室天井を有するかご室、かご室の前端部上方に設けられた前上枠と、かご室の後端部上方に設けられた後上枠と、前上枠と後上枠との間に固定された第１及び第２の側面上枠とを有し、かご室天井の周囲を囲む上枠体、及びかご室上に倒された収納位置と、上枠体上に起立された立設位置との間で回動可能に上枠体に設けられ、収納位置に位置するとき、上枠体の内側で、上枠体の上下方向寸法の範囲内に配置される複数の手摺装置を備えている。
【発明の効果】
【０００８】
この発明のエレベータのかご装置は、かご室天井を囲むように上枠体を配置し、手摺装置は、収納位置に位置するときに上枠体の内側で上枠体の上下方向寸法の範囲内に位置するように配置したので、手摺装置が収納位置に位置するときの全体の高さ寸法をさらに小さくすることができる。
【発明を実施するための最良の形態】
【０００９】
以下、この発明を実施するための最良の形態について、図面を参照して説明する。
実施の形態１．
図１はこの発明の実施の形態１によるエレベータのかご装置の上部を示す斜視図、図２は図１の手摺装置を起立させる途中の状態を示す斜視図、図３は図１の手摺装置を起立させた状態を示す斜視図である。
【００１０】
かご装置は、かご枠と、かご枠に支持されたかご室１とを有している。かご枠は、かご室１を支持する下枠（図示せず）と、かご室１の両側に設けられた第１及び第２のかご枠柱２，３と、かご枠柱２，３の上端部に固定された上枠体４とを有している。上枠体４は、かご室１の前端部上方に設けられ、ドア装置桁を兼ねる前上枠５と、第１のかご枠柱２に固定された第１の側面上枠６と、第２のかご枠柱３に固定された第２の側面上枠７と、かご室１の後端部上方に設けられた後上枠８とを有している。
【００１１】
第１及び第２の側面上枠６，７は、かご室１の奥行き方向に平行に配置されている。前上枠５及び後上枠８は、かご室１の幅方向に平行に配置されている。前上枠５の両端部は、第１及び第２の側面上枠６，７の一端部（前端部）に固定されている。後上枠８の両端部は、第１及び第２の側面上枠６，７の他端部（後端部）に固定されている。即ち、上枠体４は、長方形状に構成され、かご室天井１ａの上端部の周囲を囲んで鉢巻状に配置されている。
【００１２】
かご室天井１ａには、照明装置２７（図１４参照）が収容されている。この例では、かご室の有効床面積に関係のないかご室天井１ａの面積を縮小することで、かご室天井１ａの少なくとも上端部の周囲を囲むように上枠体４を配置しつつ、かご室１上に上枠体４をラップさせている。また、前上枠５、側面上枠６，７及び後上枠８は、剛性アップ及び軽量化のため、それぞれ角パイプにより構成されている。
【００１３】
前上枠５には、かご出入口を開閉する一対のかごの戸９ａ，９ｂが支持されている。第１及び第２のかご枠柱２，３には、かごガイドレール（図示せず）に係合する複数のかごガイドシュー１０が取り付けられている。
【００１４】
第１の側面上枠６には、第１の側面手摺装置１１が取り付けられている。第２の側面上枠７には、第２の側面手摺装置１２が取り付けられている。後上枠８には、後手摺装置１３が取り付けられている。これらの手摺装置１１〜１３は、かご室１上に水平又はほぼ水平に倒された収納位置（図１）と、上枠体４上に垂直又はほぼ垂直に起立された立設位置（図３）との間で回動可能に上枠体４に接続されている。
【００１５】
図４は図１のＩＶ−ＩＶ線に沿う断面図、図５は図３のＶ−Ｖ線に沿う断面図、図６は図１のＶＩ−ＶＩ線に沿う断面図、図７は図３のＶＩＩ−ＶＩＩ線に沿う断面図である。各手摺装置１１〜１３は、上枠体４の内側の側面に固定された複数の手摺本体支持金具（ピン受け金具）１４と、手摺本体支持金具１４に水平に取り付けられた複数のピン１５と、ピン１５を中心として回動可能な複数（この例では２本）の補助柱１６と、基端部が補助柱１６に固定された手摺本体１７とをそれぞれ有している。
【００１６】
補助柱１６は、ピン１５及び手摺本体支持金具１４を介して、上枠体４の内側の側面に回動可能に支持されている。また、手摺装置１１〜１３が立設位置に回動されると、補助柱１６の上端部は上枠体４から上方に突出する。さらに、手摺装置１１〜１３が立設位置に回動されると、手摺本体１７の下端面は、上枠体４の上面に当接される。
【００１７】
また、手摺本体支持金具１４を上枠体４の内側の側面に固定し、これらの手摺本体支持金具１４に回動可能に手摺本体１７を支持させたことにより、手摺装置１１〜１３は、収納位置に位置するとき、上枠体４の内側で上枠体４の上下方向寸法の範囲内に配置される。この例では、手摺装置１１〜１３が収納位置に位置するとき、手摺装置１１〜１３が上枠体４の上面から突出しないように、手摺装置１１〜１３の全体が上枠体４の上下方向寸法の範囲内に配置されている。
【００１８】
上枠体４の内側の側面には、手摺装置１１〜１３の収納位置からの変位を検出する複数の安全スイッチ１８が取り付けられている。各安全スイッチ１８は、接触子１８ａを有している。また、安全スイッチ１８は、かご装置の運転を制御するエレベータ制御装置（図示せず）に接続されている。手摺装置１１〜１３のうちの少なくとも１つの収納位置からの変位が安全スイッチ１８により検出されると、エレベータ制御装置の運転モードが通常モードから保守モードに自動的に切り替えられる。
【００１９】
図８は図３のＶＩＩＩ部を拡大して示す斜視図、図９は図８の側面手摺装置１１と後手摺装置１３とを接続した状態を示す斜視図である。後手摺装置１３の上端部の幅方向両端部には、接続金具としてのラッチ１９がピン２０を中心に回動可能に取り付けられている。ラッチ１９のピン２０とは反対側の端部には、ラッチ１９を回動させる際に作業者が摘む取手部１９ａが設けられている。また、ラッチ１９の中間部には、嵌合突起（ダボ）１９ｂが設けられている。
【００２０】
第１及び第２の側面手摺装置１１，１２には、嵌合突起１９ｂが嵌合される嵌合溝２１がそれぞれ設けられている。嵌合溝２１は、側面手摺装置１１，１２の上面に開口されている。嵌合突起１９ｂは、ラッチ１９を図８の状態から回動させることにより、側面手摺装置１１，１２の上面から嵌合溝２１に挿入される。嵌合突起１９ｂを嵌合溝２１に嵌合させることにより、互いに隣接する手摺装置１１〜１３が相互に接続される。
【００２１】
このようなエレベータのかご装置では、かご室天井１ａを囲むように上枠体４を配置し、手摺装置１１〜１３は、収納位置に位置するときに上枠体４の内側で上枠体４の上下方向寸法の範囲内に位置するように配置したので、手摺装置１１〜１３が収納位置に位置するときの全体の高さ寸法をさらに小さくすることができ、これにより昇降路頂部寸法を小さくすることができる。
【００２２】
また、各手摺装置１１は、上枠体４の内側の側面に回動可能に支持され、立設位置に回動されたときに上端部が上枠体４から上方に突出する補助柱１６と、基端部が補助柱１６に固定され、立設位置に回動されたときに下端面が上枠体４の上面に当接される手摺本体１７とを有しているので、簡単な構成により、手摺装置１１〜１３を起立させたときに手摺本体１７を上枠体４上に安定して立設することができるとともに、手摺装置１１〜１３を倒したときに手摺装置１１〜１３を上枠体４の上下方向寸法の範囲内に位置させることができる。
【００２３】
さらに、手摺装置１１〜１３にラッチ１９及び嵌合溝２１を設けたので、かご装置上での保守作業時に手摺装置１１〜１３を立設位置に安定して保持することができる。
【００２４】
さらにまた、前上枠５がドア装置桁を兼ねているため、ドア装置桁の上方への突出量を小さく抑えることができ、かご装置の高さ寸法を小さくすることができる。
【００２５】
また、手摺装置１１〜１３の収納位置からの変位を安全スイッチ１８により検出するので、エレベータ制御装置の運転モードを自動的に切り替えることができ、作業性を向上させることができる。また、運転モードの切替忘れを防止することができる。
【００２６】
なお、実施の形態１では後手摺装置１３にラッチ１９を設け、側面手摺装置１１，１２に嵌合溝２１を設けたが、逆であってもよい。
【００２７】
実施の形態２．
次に、図１０はこの発明の実施の形態２によるエレベータのかご装置の要部を示す斜視図、図１１は図１０のＸＩ部を拡大して示す斜視図、図１２は図１１の側面手摺装置１１と後手摺装置１３とを接続した状態を示す斜視図である。
【００２８】
後手摺装置１３の上端部の幅方向両端部には、Ｌ字形の連結金具２２がピン２３を中心に回動可能に取り付けられている。連結金具２２は、ピン２３が設けられた第１の部分と、第１の部分に対して直角な第２の部分とを有している。連結金具２２の第２の部分には、固定ナット２４が固定されている。
【００２９】
固定ナット２４には、接続金具としての蝶ボルト２５が螺着されている。連結金具２２の第２の部分には、蝶ボルト２５の先端が貫通する孔が設けられている。
【００３０】
第１及び第２の側面手摺装置１１，１２には、蝶ボルト２５が螺着されるねじ穴２６がそれぞれ設けられている。図１１の状態から連結金具２２を９０°回動させ、蝶ボルト２５をねじ穴２６に螺着させることにより、互いに隣接する手摺装置１１〜１３が相互に接続される。他の構成は、実施の形態１と同様である。
【００３１】
このように、蝶ボルト２５をねじ穴２６に螺着させることによっても、かご装置上での保守作業時に手摺装置１１〜１３を立設位置に安定して保持することができる。
【００３２】
なお、実施の形態２では、後手摺装置１３に蝶ボルト２５を設け、側面手摺装置１１，１２にねじ穴２６を設けたが、逆であってもよい。
【００３３】
実施の形態３．
次に、図１３はこの発明の実施の形態３によるエレベータのかご装置の上部を示す斜視図、図１４は図１３のＸＩＶ−ＸＩＶ線に沿う断面図、図１５は図１４の側面手摺装置１１，１２を起立させた状態を示す断面図、図１６は図１３のＸＶＩ−ＸＶＩ線に沿う断面図、図１７は図１６の側面手摺装置１２及び後手摺装置１３を起立させた状態を示す断面図である。
【００３４】
この例では、第１の側面手摺装置１１、第２の側面手摺装置１２及び後手摺装置１３の上枠体４への取付位置が上下方向に互いにずらされている。これにより、手摺装置１１〜１３が収納位置に位置するとき、第１の側面手摺装置１１の一部が第２の側面手摺装置１２上に重ねられる。また、後手摺装置１３は、側面手摺装置１１，１２の下に配置される。他の構成は、実施の形態１又は２と同様である。
【００３５】
なお、かご室天井１ａ内には、複数の照明装置２７が設けられている。また、照明装置２７の下方には、照明板２８が配置されている。
【００３６】
このように、第１及び第２の側面手摺装置１１，１２を上下に重ねて収納することにより、かご室１の幅寸法（間口寸法）が小さい場合にも、かご装置の高さ寸法を小さくしつつ、手摺装置１１〜１３の高さ寸法を十分に確保することができる。
【００３７】
実施の形態４．
次に、図１８はこの発明の実施の形態４によるエレベータのかご装置の上部を示す斜視図、図１９は図１８のＸＩＸ−ＸＩＸ線に沿う断面図、図２０は図１９の手摺装置１１〜１３を起立させる途中の状態を示す断面図である。
【００３８】
第１及び第２の側面手摺装置１１，１２の各手摺本体１７は、上枠体４に連結された下部手摺１７ａと、下部手摺１７ａにヒンジ２９を介して回動可能に連結された上部手摺１７ｂとを有している。側面手摺装置１１，１２が立設位置に位置するとき、上部手摺１７ｂは、下部手摺１７ａに対して伸展され、下部手摺１７ａの上部に配置される。
【００３９】
また、側面手摺装置１１，１２の各手摺本体１７は、上部手摺１７ｂを下部手摺１７ａに対して回動させて下部手摺１７ａに重ねることにより折り畳み可能となっている。即ち、側面手摺装置１１，１２が収納位置に位置するとき、手摺本体１７は折り畳まれる。他の構成は、実施の形態１又は２と同様である。
【００４０】
このように、第１及び第２の側面手摺装置１１，１２の手摺本体１７を立設位置に位置するときの上下方向の中間部で折り畳み可能とすることにより、かご室１の幅寸法が小さい場合にも、かご装置の高さ寸法を小さくしつつ、手摺装置１１〜１３の高さ寸法を十分に確保することができる。
【００４１】
実施の形態５．
次に、図２１はこの発明の実施の形態５によるエレベータのかご装置の上部を示す斜視図、図２２は図２１の側面手摺装置１１を起立させる途中の状態を示す斜視図、図２３は図２２のＸＸＩＩＩ部を拡大して示す側面図、図２４は図２３のＸＸＩＶ−ＸＸＩＶ線に沿う断面図である。
【００４２】
下部手摺１７ａには、係止ピン３０が固定されている。上部手摺１７ｂには、留め具３１がピン３２を中心に回動可能に取り付けられている。留め具３１には、係止ピン３０が挿入される係止溝が設けられている。手摺本体１７を折り畳む際には、留め具３１が係止ピン３０に係止される。また、手摺本体１７を起立させる際には、留め具３１の係止ピン３０への係止が解除される。他の構成は、実施の形態４と同様である。
【００４３】
このように、上部手摺１７ｂを下部手摺１７ａに重ねた状態を保持する留め具３１を側面手摺装置１１，１２に設けることにより、側面手摺装置１１，１２を起立させたり倒したりする際に、上部手摺１７ｂの下部手摺１７ａに対するばたつきを防止することができ、作業性を向上させることができる。
【００４４】
なお、実施の形態４、５では、手摺本体１７を折り畳み可能としたが、上部手摺１７ｂの一部を下部手摺１７ａに出し入れ可能とすることにより手摺本体１７を伸縮可能としてもよい。
【００４５】
実施の形態６．
次に、図２５はこの発明の実施の形態６によるエレベータのかご装置の要部断面図、図２６は図２５のＸＸＶＩ部を拡大して示す断面図、図２７は図２６の側面手摺装置１２を起立させた状態を示す断面図、図２８は図２６の側面手摺装置１２の要部を示す斜視図、図２９は図２８の側面手摺装置１２を起立させた状態を示す斜視図である。なお、図２５は図１３のＸＩＶ−ＸＩＶ線に沿う断面に相当している。
【００４６】
各手摺装置１１〜１３は、手摺本体支持金具１４と、ピン１５と、ピン１５を中心として回動可能な手摺本体１７と、手摺本体１７の基端部（上枠体４側端部）に回動可能に設けられた支え金具３３と、支え金具変位機構とを有している。支え金具３３は、手摺本体１７の基端部に設けられたピン３４を中心として回動可能である。
【００４７】
支え金具変位機構は、手摺本体１７の収納位置から立設位置への回動に連動して、支え金具３３の下端部が手摺本体１７から突出する方向へ支え金具３３を回動させる。そして、手摺本体１７を立設位置に回動させると、支え金具３３の下端部が上枠体４の上面に当接される。
【００４８】
支え金具変位機構は、手摺本体１７の基端部に回動可能に設けられたタンブラ作動片３６と、支え金具３３と手摺本体１７との間に設けられた戻しばね３５とを有している。タンブラ作動片３６の一端部には、手摺本体１７を収納位置から立設位置に回動する際に上枠体４の内側の側面に当接される上枠体当接部３６ａが設けられている。タンブラ作動片３６の他端部には、支え金具３３に当接された支え金具当接部３６ｂが設けられている。
【００４９】
手摺本体１７を立設位置に回動させると、上枠体当接部３６ａが上枠体４の側面に当接されてタンブラ作動片３６が手摺本体１７に対して回動され、支え金具当接部３６ｂにより支え金具３３が戻しばね３５に抗して回動される。これにより、支え金具３３の下端部が上枠体４の上面に当接される。
【００５０】
また、手摺本体１７を立設位置から収納位置へ回動させると、上枠体当接部３６ａが上枠体４の側面から離れ、戻しばね３５のばね力により、タンブラ作動片３６及び支え金具３３が上記とは逆方向へ回動される。これにより、支え金具３３は、手摺本体１７の内側に収容される。他の構成は、実施の形態１〜５のいずれかと同様である。
【００５１】
このような手摺装置１１〜１３では、手摺本体１７を立設位置に回動させることにより、支え金具３３が手摺本体１７から自動的に突出し、支え金具３３の下端部が上枠体４の上面に当接されるので、手摺本体１７を上枠体４上に安定して立設することができる。また、手摺本体１７を収納位置に回動させると、支え金具３３が手摺本体１７の内側に収容されるので、手摺装置１１〜１３の厚さ寸法を小さくすることができ、上枠体４の上下方向寸法の範囲内に容易に配置することができる。
【００５２】
実施の形態７．
次に、図３０はこの発明の実施の形態７による側面手摺装置１２の要部を示す側面図、図３１は図３０の側面手摺装置１２を起立させた状態を示す側面図、図３２は図３０の側面手摺装置１２の要部を示す斜視図、図３３は図３２の側面手摺装置１２を起立させた状態を示す斜視図である。
【００５３】
支え金具変位機構は、手摺本体支持金具１４と支え金具３３との間に連結された連結バー３８と、戻しばね３５とを有している。連結バー３８の一端部は、ピン３９を中心として回動可能に手摺本体支持金具１４に連結されている。また、連結バー３８の他端部は、ピン４０を中心として回動可能に支え金具３３に連結されている。
【００５４】
連結バー３８の手摺本体支持金具１４への連結部（ピン３９）は、手摺本体１７の手摺本体支持金具１４への連結部（ピン１５）からオフセットされている。また、連結バー３８の支え金具３３への連結部（ピン４０）は、支え金具３３の手摺本体１７への連結部（ピン３４）からオフセットされている。また、手摺本体１７の側面には、連結バー３８を手摺本体１７の内側から引き出すための開口１７ｃが設けられている。
【００５５】
手摺本体１７を立設位置に回動させると、支え金具３３の連結バー３８との連結部が連結バー３８により手摺本体１７の基端部側へ引き寄せられ、支え金具３３が戻しばね３５に抗して回動される。これにより、支え金具３３の下端部が上枠体４の上面に当接される。
【００５６】
また、手摺本体１７を立設位置から収納位置へ回動させると、支え金具３３の連結バー３８との連結部が連結バー３８により手摺本体１７の上端部側へ押し戻されるとともに、戻しばね３５のばね力により支え金具３３が上記とは逆方向へ回動される。これにより、支え金具３３は、手摺本体１７の内側に収容される。他の構成は、実施の形態１〜５のいずれかと同様である。
【００５７】
このような手摺装置１１〜１３では、手摺本体１７を立設位置に回動させることにより、支え金具３３が手摺本体１７から自動的に突出し、支え金具３３の下端部が上枠体４の上面に当接されるので、手摺本体１７を上枠体４上に安定して立設することができる。また、手摺本体１７を収納位置に回動させると、支え金具３３が手摺本体１７の内側に収容されるので、手摺装置１１〜１３の厚さ寸法を小さくすることができ、上枠体４の上下方向寸法の範囲内に容易に配置することができる。
【００５８】
なお、上記の例では、収納位置に位置するときに手摺装置１１〜１３の全体が上枠体４の上下方向寸法の範囲内に位置するようにしたが、殆どの部分が上枠体４の上下方向寸法の範囲内に位置していれば一部が上枠体４上に出ていてもよい。具体的には、収納位置に位置するときの手摺装置１１〜１３全体の上下方向寸法の半分以上が上枠体４の上下方向寸法の範囲内に位置しているのが好適である。
【図面の簡単な説明】
【００５９】
【図１】この発明の実施の形態１によるエレベータのかご装置の上部を示す斜視図である。
【図２】図１の手摺装置を起立させる途中の状態を示す斜視図である。
【図３】図１の手摺装置を起立させた状態を示す斜視図である。
【図４】図１のＩＶ−ＩＶ線に沿う断面図である。
【図５】図３のＶ−Ｖ線に沿う断面図である。
【図６】図１のＶＩ−ＶＩ線に沿う断面図である。
【図７】図３のＶＩＩ−ＶＩＩ線に沿う断面図である。
【図８】図３のＶＩＩＩ部を拡大して示す斜視図である。
【図９】図８の側面手摺装置と後手摺装置とを接続した状態を示す斜視図である。
【図１０】この発明の実施の形態２によるエレベータのかご装置の要部を示す斜視図である。
【図１１】図１０のＸＩ部を拡大して示す斜視図である。
【図１２】図１１の側面手摺装置と後手摺装置とを接続した状態を示す斜視図である。
【図１３】この発明の実施の形態３によるエレベータのかご装置の上部を示す斜視図である。
【図１４】図１３のＸＩＶ−ＸＩＶ線に沿う断面図である。
【図１５】図１４の側面手摺装置を起立させた状態を示す断面図である。
【図１６】図１３のＸＶＩ−ＸＶＩ線に沿う断面図である。
【図１７】図１６の側面手摺装置及び後手摺装置を起立させた状態を示す断面図である。
【図１８】この発明の実施の形態４によるエレベータのかご装置の上部を示す斜視図である。
【図１９】図１８のＸＩＸ−ＸＩＸ線に沿う断面図である。
【図２０】図１９の手摺装置を起立させる途中の状態を示す断面図である。
【図２１】この発明の実施の形態５によるエレベータのかご装置の上部を示す斜視図である。
【図２２】図２１の側面手摺装置を起立させる途中の状態を示す斜視図である。
【図２３】図２２のＸＸＩＩＩ部を拡大して示す側面図である。
【図２４】図２３のＸＸＩＶ−ＸＸＩＶ線に沿う断面図である。
【図２５】この発明の実施の形態６によるエレベータのかご装置の要部断面図である。
【図２６】図２５のＸＸＶＩ部を拡大して示す断面図である。
【図２７】図２６の側面手摺装置を起立させた状態を示す断面図である。
【図２８】図２６の側面手摺装置の要部を示す斜視図である。
【図２９】図２８の側面手摺装置を起立させた状態を示す斜視図である。
【図３０】この発明の実施の形態７による側面手摺装置の要部を示す側面図である。
【図３１】図３０の側面手摺装置を起立させた状態を示す側面図である。
【図３２】図３０の側面手摺装置の要部を示す斜視図である。
【図３３】図３２の側面手摺装置を起立させた状態を示す斜視図である。
【符号の説明】
【００６０】
１  かご室、１ａ  かご室天井、４  上枠体、５  前上枠、６  第１の側面上枠、７  第２の側面上枠、８  後上枠、１１  第１の側面手摺装置、１２  第２の側面手摺装置、１３  後手摺装置、１４  手摺本体支持金具、１６  補助柱、１７  手摺本体、１７ａ  下部手摺、１７ｂ  上部手摺、１８  安全スイッチ、１９  ラッチ（接続金具）、２８  蝶ボルト（接続金具）、３１  留め具、３３  支え金具、３５  戻しばね、３６  タンブラ作動片、３８  連結バー。
【図１】
2010058861.tif 000003
【図２】
2010058861.tif 000004
【図３】
2010058861.tif 000005
【図４】
2010058861.tif 000006
【図５】
2010058861.tif 000007
【図６】
2010058861.tif 000008
【図７】
2010058861.tif 000009
【図８】
2010058861.tif 000010
【図９】
2010058861.tif 000011
【図１０】
2010058861.tif 000012
【図１１】
2010058861.tif 000013
【図１２】
2010058861.tif 000014
【図１３】
2010058861.tif 000015
【図１４】
2010058861.tif 000016
【図１５】
2010058861.tif 000017
【図１６】
2010058861.tif 000018
【図１７】
2010058861.tif 000019
【図１８】
2010058861.tif 000020
【図１９】
2010058861.tif 000021
【図２０】
2010058861.tif 000022
【図２１】
2010058861.tif 000023
【図２２】
2010058861.tif 000024
【図２３】
2010058861.tif 000025
【図２４】
2010058861.tif 000026
【図２５】
2010058861.tif 000027
【図２６】
2010058861.tif 000028
【図２７】
2010058861.tif 000029
【図２８】
2010058861.tif 000030
【図２９】
2010058861.tif 000031
【図３０】
2010058861.tif 000032
【図３１】
2010058861.tif 000033
【図３２】
2010058861.tif 000034
【図３３】
2010058861.tif 000035